(57)【要約】【課題】換気機能を利用して屋外に塵埃を排出する自動清掃機能を有する空気調和機の排気排塵ダンパーがホコリによって閉塞してしまうことを防止する排気排塵ダンパーを提供すること。【解決手段】本発明の排気排塵ダンパーは、ホース７の先端に取付ける軸部分１と、軸部分１の開口端を開閉する流路開閉蓋２とを備え、軸部分１の側面に格子状の開口部６を設けたことにより、軸部分の内部やホース内部に堆積する可能性のある塵埃を取り除き、ホコリなどの塵埃で出口穴を塞いでしまう心配もなくなる。【選択図】図１
2012017892.tif 000002
【特許請求の範囲】
【請求項１】
ホース先端に取付ける軸部分と、前記軸部分の開口端を開閉する流路開閉蓋とを備え、前記軸部分の側面に格子状の開口部を設けたことを特徴とする排気排塵ダンパー。
【請求項２】
請求項１に記載の排気排塵ダンパーと、前記軸部分に接続するホースと、塵埃を外部へ排出する際に風の流れを生成する換気ファンとを備え、塵埃を外部へ排出する運転時は、前記換気ファンを順方向に回転させ、塵埃を外部へ排出する運転終了時は、前記換気ファンを逆方向に回転させることを特徴とする塵埃除去装置。
【発明の詳細な説明】
【技術分野】
【０００１】
本発明は、フィルターを自動で掃除するに空気調和機であって、特に、ホースの先端に設けられた排気排塵ダンパーに関するものである。
【背景技術】
【０００２】
従来のこの種の技術としては、図５のように、流路開閉蓋２を軸部分１の端面などに当接して封止するような構造が主流で、換気機能の風圧で流路開閉蓋２が開き、フィルター自動お掃除機能にてフィルターより除去・回収したホコリを、換気ホースを通して排気排塵ダンパーより屋外へ排出される構造となっている（例えば、特許文献１参照）。
【先行技術文献】
【特許文献】
【０００３】
【特許文献１】特開２００６−１４５１０８号公報
【発明の概要】
【発明が解決しようとする課題】
【０００４】
しかしながら、前記従来の構成では、ホースや軸部品を通して排出されてくる塵埃は、流路開閉蓋を過ぎると開放状態になるため、風速が一気に落ちる。また、流路開閉蓋２は換気機能の未使用時においては閉鎖状態になっており、逆入を塞ぐ効果を有しているがこの流路開閉蓋が抵抗となり、流路開閉蓋の出口付近で軸部分の内部、ホース内部に塵埃が溜まり、長期間の使用によっては排気排塵ダンパーの出口付近が塞がってしまうという課題を有していた。
【０００５】
本発明は、前記従来の課題を解決するもので、換気機能を利用して屋外に塵埃を排出する自動清掃機能を有する空気調和機の排気排塵ダンパーがホコリによって閉塞してしまうことを防止する排気排塵ダンパーを提供することを目的とする。
【課題を解決するための手段】
【０００６】
前記従来の課題を解決するために、本発明の排気排塵ダンパーは、ホース先端に取付ける軸部分と、軸部分の開口端を開閉する流路開閉蓋とを備え、軸部分の側面に格子状の開口部を設けたことにより、軸部分の内部やホース内部に堆積する可能性のある塵埃を取り除き、ホコリなどの塵埃で出口穴を塞いでしまう心配もなくなる。
【発明の効果】
【０００７】
本発明は、ホコリによって閉塞してしまうことを防止する排気排塵ダンパーを提供することができる。
【図面の簡単な説明】
【０００８】
【図１】本実施の形態１における排気排塵ダンパーの分解図
【図２】同実施の形態１における排気排塵ダンパーの斜視図
【図３】同実施の形態１における排気排塵ダンパーの斜視図
【図４】同実施の形態１における排気排塵ダンパーの斜視図
【図５】従来の排気排塵ダンパーの斜視図
【発明を実施するための形態】
【０００９】
第１の発明の排気排塵ダンパーは、ホース先端に取付ける軸部分と、軸部分の開口端を開閉する流路開閉蓋とを備え、軸部分の側面に格子状の開口部を設けたことにより、軸部
分の内部やホース内部に堆積する可能性のある塵埃を取り除き、ホコリなどの塵埃で出口穴を塞いでしまう心配もなくなる。
【００１０】
第２の発明の塵埃除去装置は、特に第１の発明の排気排塵ダンパーと、軸部分に接続するホースと、塵埃を外部へ排出する際に風の流れを生成する換気ファンとを備え、塵埃を外部へ排出する運転時は、換気ファンを順方向に回転させ、塵埃を外部へ排出する運転終了時は、換気ファンを逆方向に回転させることを特徴とする塵埃除去装置。
【００１１】
以下、本発明の実施の形態について、図面を参照しながら説明する。なお、この実施の形態によって本発明が限定されるものではない。
【００１２】
（実施の形態１）
図１は、本発明の実施の形態１における排気排塵ダンパーの分解図、図２は排気排塵ダンパーの斜視図、図３は流路開閉蓋が開いた状態の斜視図を示すものである。
【００１３】
図１〜図３を用いて排気排塵ダンパーの構成について説明する。本実施の形態１における排気排塵ダンパーは、ホース７の先端に取り付ける軸部分１と、軸部分１の開口端を開閉する流路開閉蓋２と、流路開閉蓋２を覆うカフス３とを有しており、通風状態では、流路開閉蓋２が開いて流路を形成し、無風状態では流路開閉蓋２は閉じたままで流路を閉塞する。そして、外部からの侵入を防ぐ構造となっており、逆方向の風は内部に侵入できない構成となっている。
【００１４】
さらに、本実施の形態１における排気排塵ダンパーの軸部分１の側面には開口部６を形成している。
【００１５】
また、軸部分１と流路開閉蓋２とは、挿入方向４からカフス３に挿入され一体化するように係合される。軸部分１の流路開閉蓋２の反対方向にはホース７が接続され、通風方向５の矢印方向に向かって、フィルター自動お掃除機能にてフィルターより除去・回収したホコリを、換気機能のホースを連通して排気排塵ダンパーから屋外へ排出される構造となっている。
【００１６】
そしてホース７の他端には、塵埃を外部へ排出する際に風の流れを生成する換気ファン（図示せず）が設けられており、塵埃を外部へ排出する際に、換気ファンが駆動することによって、風の流れが発生する。
【００１７】
本実施の形態では、排気排塵ダンパーに換気ファンを加えて塵埃除去装置を構成している。以上のように構成された塵埃除去装置において、以下にその動作を説明する。
【００１８】
この塵埃除去装置は、例えば、空気調和機に搭載され、フィルター装置の塵埃を自動で除去する装置として組み込まれる。そして、塵埃を外部へ排出する運転時は、換気ファンを順方向に回転させて、風の流れを発生させて、塵埃を排出する。
【００１９】
ところが、塵埃がホース７の内部等に残留・堆積してしまう可能性がある。そこで本実施の形態では、塵埃を外部へ排出する運転終了時は、換気ファンを逆方向に回転させている。その結果、流路開閉蓋２は閉塞されたままであるが、側面に設けた開口部６から空気を吸い込んで、軸部分１とホース７の内部に逆の空気の流れを起す。そして、堆積する可能性のある塵埃を除去させて、軸部分１とホース７の内部に塵埃が堆積することを防止する。
【００２０】
また、図４は開口部６の形状を格子状にしたものである。このように構成することで、
小さな虫や大きなゴミ等を吸い込まないようにすることができ、信頼性が向上する。
【産業上の利用可能性】
【００２１】
本発明の排気排塵ダンパーは、フィルター自動お掃除機能にて回収したホコリをなどの塵埃を、換気機能を介して確実に屋外に排出させることができ、排気排塵ダンパー付近での塵埃による閉塞状態を防止することが可能となるため、フィルターお掃除機能を搭載した空気調和機などの用途に適用できる。
【符号の説明】
【００２２】
１  軸部分
２  流路開閉蓋
３  カフス
７  ホース
【図１】
2012017892.tif 000003
【図２】
2012017892.tif 000004
【図３】
2012017892.tif 000005
【図４】
2012017892.tif 000006
【図５】
2012017892.tif 000007